(57)【要約】      （修正有）【課題】口腔内で治療行為や診察行為をする際に、口腔内に損傷を与えたり不快感を与えたりせず、かつ強度や耐久性が十分な、舌圧排子の提供する。【解決手段】舌圧排子１０は舌部や頬部を押さえる舌圧部１０ａと把持部１０ｂで形成され、舌圧部１０ａは芯部１１と被膜部１５より形成され、芯部１１はチタン板体を細長板体に形成し先端部１２と後端部１３を有し、先端部１２と後端部１３の概略中間部位は該両端部より細く成形され、シリコンゴム製チューブ状の被膜部１５の先端部１６で閉じ、被膜部１５の後端部１７で開放するように成形され、芯部１１の概略中間部位まで圧入できる寸法に形成される。把持部１０ｂは先端部１４と後端部１８を有し、標準的な成人が片手で把持できる寸法で一般的な熱可塑性プラスチックで成型され、芯部後端部１３と被膜部後端部１７を保持し固定するように形成される。【選択図】図１
2009022702.tif 000002
【特許請求の範囲】
【請求項１】
医師や診察者が口腔内で治療行為や診察行為またはそれに準ずる行為を実施する場合に用いられる器具であり、舌部や頬部を押さえる舌圧部に把持部を設けた舌圧排子において、舌圧排子が芯部と芯部を被膜する被膜部よりなり、前記芯部が硬質素材で前記被膜部が軟質素材で形成されることを特徴とする、口腔内保護手段を備えた舌圧排子。
【請求項２】
前記舌圧部及び前記把持部とを同一の素材で所定寸法の長細板状に形成したものを芯部と成し、前記芯部に被膜手段により被膜部を設け、前記芯部が硬質素材で前記被膜部が軟質素材で形成されることを特徴とする、請求項１に記載の口腔内保護手段を備えた舌圧排子。
【請求項３】
前記舌圧部を上にして前記把持部を下にして本体を正面から見た場合に前記舌圧部が前記把持部に対して左右どちらかに約１度〜２０度曲折するように形成させたことを特徴とする、請求項１または請求項２に記載の口腔内保護手段を備えた舌圧排子。
【請求項４】
前記芯部の所望する部位には、貫通孔、非貫通孔、孔状、切り欠き、溝状、窪みまたは凹状、突起または凸状、の中の少なくとも一つが形成されていることを特徴とする、請求項１から請求項３のいずれかに記載の口腔内保護手段を備えた舌圧排子。
【請求項５】
前記芯部の表面の少なくとも一部には、前記被膜部との係着性または接着性または密着性を向上させるための処理を施すことを特徴とする、請求項１から請求項４のいずれかに記載の口腔内保護手段を備えた舌圧排子。
【発明の詳細な説明】
【技術分野】
【０００１】  本発明は、医師や診察者が口腔内で治療行為や診察行為またはそれに準ずる行為を実施する場合に用いられる器具であり、舌部や頬部を押さえる舌圧部と把持部とから成る舌圧排子に関するものである。
【背景技術】
【０００２】  一般に、口腔内（舌、歯、歯茎、粘膜など）や歯科を治療したり診察したりする医師や診察者が口腔内で治療行為や診察行為またはそれに準ずる行為を実施する場合には、金属製または木製の、舌圧子、舌圧排子、舌鉗子、などと称されている細長板体が使用されている。しかしながら、従来のタイプでは、上記口腔内に対する当たりは硬く、痛みを伴う場合があったり、上記口腔内を傷める心配があった。例えば、口の小さな女性  歯茎が痩せ細った高齢者、子供、障害者、などの上記口腔内に損傷を与えてしまうことがあったり、不快な感じや不安感を与えることがあった。【０００３】  そこで、近年では、下記のような開発案件が散見されるようになった。
例えば、歯科医師が虫歯の治療をするにあたって、患者の舌を押さえ治療をやりやすくするとともに、歯科医師の不快感を解消し、治療中に誤って充填中のインレーなどを落とした時にそれが喉に落ちるのを防止し、また患者の舌を治療器具などで傷つけることを防ぎ、更に患者の唾液を吸引するときに治療を中断しなくてもよいようにすることを目的とし、そのために口の中に入れることによって患者の舌が押さえられ歯科医師が治療をやりやすくなるとともに、患者の舌が歯科医師の指に触れることがないので歯科医師の不快感も解消され、更に患者の舌を傷つけることを防止することができる、虫歯治療用舌押さえを提供する。（登録実用新案第３０４４１２８号公報を参照する）
【発明の開示】
【発明が解決しようとする課題】
【０００５】  ところが、例えば、登録実用新案第３０４４１２８号公報の虫歯治療用舌押さえの開発案件では、口の中に入れることによって患者の舌が押さえられ歯科医師が治療をやりやすくなるとともに、患者の舌が歯科医師の指に触れることがないので歯科医師の不快感も解消され、更に患者の舌を傷つけることを防止することができることを特徴とするが、湿気や水分が多い環境であり、耐久性に問題があるという指摘を受けている。【０００６】  本発明は、上記の課題を解決するために成されたものであり、口の小さな女性や歯茎が痩せ細った高齢者や子供や障害者などの、口腔内（舌、歯、歯茎、粘膜など）や歯科を治療したり診察したりする医師や診察者が上記口腔内で治療行為や診察行為またはそれに準ずる行為を実施するときに、上記口腔内に対する当たりがソフトであり柔軟性があり、そのため上記口腔内に損傷を与えたり不快感や不安感を与えたりせず、かつ強度や耐久性を十分に備えた、舌圧排子の提供を目的とする。
【課題を解決するための手段】
【０００７】  課題を解決するための第一の手段（請求項１）は、医師や診察者が口腔内で治療行為や診察行為またはそれに準ずる行為を実施する場合に用いられる器具であり、舌部や頬部を押さえる舌圧部に把持部を設けた舌圧排子において、前記舌圧排子が芯部と芯部を被膜する被膜部よりなり、前記芯部が硬質素材で前記被膜部が軟質素材で形成されることを特徴とする、口腔内保護手段を備えた舌圧排子を提供することである。【０００８】  課題を解決するための第一の手段で記述した舌圧排子に関しては、舌圧子とか舌鉗子とも称されている、金属製または木製の細長板体が知られているが、一般的に知られているタイプは凡そ本発明への応用が可能である。
課題を解決するための第一の手段で記述した芯部が硬質素材であることに関しては、硬質素材で前記細長板体に形成させるわけであるが、この場合の硬質素材に関しては、金属製で十分な強度を保持できるなら特に種類や品質には制限を設けないものとする。また、木製で十分な強度を保持できるなら特に種類や品質には制限を設けないものとする。また、硬質プラスチック製で十分な強度を保持できるなら特に種類や品質には制限を設けないものとする。【０００９】  課題を解決するための第一の手段で記述した被膜部が軟質素材であることに関しては、可撓性を有したり、弾力性を有したり、柔軟性を有したり、する素材であれば何でも用いることが可能であるが、その中でも特に、シリコン樹脂、シリコンゴム、耐熱樹脂、耐熱ゴム、耐酸性樹脂、耐アルカリ性樹脂、熱収縮性樹脂、耐酸性ゴム、耐アルカリ性ゴム、熱収縮性ゴム、の中から選択して用いることが好ましい。また、熱収縮性で、耐熱性、耐酸性、耐アルカリ性、を備えたシリコン樹脂またはシリコンゴムを用いることも好ましい。【００１０】  課題を解決するための第一の手段で記述する芯部を前記軟質素材で被膜する手段に関しては、塗膜手段、被膜手段、巻着手段、圧着手段、嵌着手段、吸着手段、接着手段、挿着手段、貼着手段、塗着手段、被着手段、密着手段、融着手段、圧入手段、嵌入手段、貫入手段、挿入手段、嵌通手段、密嵌手段、被せ手段、付着手段、浸し手段、熱収縮手段などの中の一般的に知られた手段を選択して、単体または組合せて用いればよい。
また、金属製で所望寸法の細長板体に形成した前記芯部に嵌入できるように形成し、一端が閉じられ他端に開口部を持つ熱収縮性を備えたシリコンゴム製の細長袋体を被膜部としても構わない。【００１２】  課題を解決するための第二の手段（請求項２）は、前記舌圧部及び前記把持部とを同一の素材で所定寸法の長細板状に形成したものを芯部と成し、前記芯部に被膜手段により被膜部を設け、前記芯部が硬質素材で前記被膜部が軟質素材で形成されることを特徴とする、課題を解決するための第一の手段に記載の口腔内保護手段を備えた舌圧排子を提供することである。【００１３】  課題を解決するための第二の手段で記述した内容は、課題を解決するための第一の手段で記述したまず舌圧部を形成した後にこの舌圧部を接続できるように形成した把持部を接続できるようにしたことを特徴とし、また把持部を形成した後にこの把持部に接続できるように形成した舌圧部を接続できるようにしたことを特徴とすることと異なり、前記硬質素材の中から選択した硬質素材で所望寸法の細長板体に形成した芯部全体に前記軟質素材の中から選択した軟質素材で前記被膜部が形成するようにした場合には、前記芯部の先端部が前記舌圧部として機能し、前記芯部の後端部が前記把持部として機能することを特徴とする。【００１４】  例えば、金属製で所望寸法の細長板体に形成した芯部に嵌入できるように形成し、一端が閉じられ他端に開口部を持つ熱収縮性を備えたシリコンゴム製の細長袋体を開口部を介して前記細長板体に嵌入し加熱手段（熱収縮性を備えたシリコンゴムが熱収縮する温度を提供する手段）によって前記細長袋体を収縮させ前記芯部全体に密着させた後に前記開口部を封ずることで前記細長袋体が前記芯部の被膜部として機能する。そして前記芯部の先端部を舌圧部として使用し、前記芯部の後端部を把持部として使用すればよい。【００１６】  課題を解決するための第三の手段（請求項３）は、前記舌圧部を上にして前記把持部を下にして本体を正面から見た場合に前記舌圧部が前記把持部に対して左右どちらかに約１度〜２０度曲折するように形成させたことを特徴とする、課題を解決するための第一の手段または課題を解決するための第二の手段に記載の口腔内保護手段を備えた舌圧排子を提供することである。【００１７】  課題を解決するための第三の手段で記述した前記舌圧部が前記把持部に対して左右どちらかに約１度〜２０度曲折するように形成させる手段に関しては、前記舌圧部または前記把持部の芯部や前記舌圧部および前記把持部の芯部が、例えば木質系素材を長細板体および所定角度になるよう公知の切削手段を用いて形成させたり、例えば金属系素材を長細板体および所定角度になるよう公知の切削手段を用いて切削形成させたり、鍛造手段を用いて鍛造形成させたり、金型を介してプレス手段を用いてプレス形成させたり、鋳型を介して鋳造手段を用いて鋳造形成させたり、放電加工手段を用いて放電加工形成させたり、例えばプラスチック系素材を長細板体および所定角度になるよう公知の金型を介してプレス成形させたり、公知の金型を介して射出成形させたり、公知の金型を介してブロウ成形させたり、すればよい。【００１８】  前記木質系素材に関しては、一般的な舌圧排子や舌圧子や舌鉗子として、使用するに十分な強度を保持できるような素材であれば、何を用いても構わない。
前記金属系素材に関しては、一般的な舌圧排子や舌圧子や舌鉗子として、使用するに十分な強度を保持できるような素材であれば、何を用いても構わない。
前記プラスチック系素材に関しては、一般的な舌圧排子や舌圧子や舌鉗子として、使用するに十分な強度を保持できるような素材であれば、何を用いても構わない。【００１９】  課題を解決するための第三の手段で記述した前記舌圧部が前記把持部に対して左右どちらかに約１度〜２０度曲折するように形成させることの、例えば角度に関しては、左右のどちらになるにせよ、約１度未満では本発明の効果が薄く、約２０度以上では口腔内では使用しづらいという指摘を受けている。本発明では約１０度程度曲折させることが好ましい。【００２１】  課題を解決するための第四の手段（請求項４）は、前記芯部の所望する部位には、貫通孔、非貫通孔、孔状、切り欠き、溝状、窪みまたは凹状、突起または凸状、の中の少なくとも一つが形成されていることを特徴とする、課題を解決するための第一の手段から課題を解決するための第三の手段いずれかに記載の口腔内保護手段を備えた舌圧排子を提供することである。【００２２】  課題を解決するための第四の手段で記述した、前記芯部の所望する部位には、貫通孔、非貫通孔、孔状、切り欠き、溝状、窪みまたは凹状、突起または凸状、を少なくとも一つ形成させる手段に関しては、例えば所定寸法で所定数の貫通孔に関しては一般的に知られた貫通手段や貫通孔形成手段を用いればよい。また、例えば所定寸法で所定数の非貫通孔に関しては一般的に知られた非貫通の穴あけ手段や非貫通孔形成手段を用いればよい。また、例えば所定寸法で所定数の孔状に関しては一般的に知られた孔状手段や孔状形成手段を用いればよい。また、例えば所定寸法で所定数の切り欠きに関しては一般的に知られた切り欠き手段や切り欠き形成手段を用いればよい。また、例えば所定寸法で所定数の溝状に関しては一般的に知られた溝状手段や溝状形成手段を用いればよい。また、例えば所定寸法で所定数の窪みまたは凹状に関しては一般的に知られた窪みまたは凹状手段や窪みまたは凹状形成手段を用いればよい。また、例えば所定寸法で所定数の突起または凸状に関しては一般的に知られた突起または凸状手段や突起または凸状形成手段を用いればよい。【００２３】  前記所定寸法に関しては、前記芯部の幅寸法や長さや厚みに合わせて適宜調節して設計すればよい。
前記所定数に関しては、前記芯部の幅寸法や長さや厚みに合わせて適宜調節して設計すればよい。【００２５】  課題を解決するための第五の手段（請求項５）は、前記芯部の表面の少なくとも一部には、前記被膜部との係着性または接着性または密着性を向上させるための処理を施すことを特徴とする、課題を解決するための第一の手段から課題を解決するための第四の手段のいずれかに記載の口腔内保護手段を備えた舌圧排子を提供することである。【００２６】  課題を解決するための第五の手段で記述した前記芯部の表面に処理を施すことに関しては、前記木質系素材に関しては、例えば、表面に粗面を形成させることで前記被膜部との係着性を向上させる手段があるが、物理的手段または電気的手段または化学的手段または機械的手段または熱的手段の中から単独でまたは組合せて用いればよい。また、前記金属系素材に関しては、例えば、表面に粗面を形成させることで前記被膜部との係着性を向上させる手段があるが、物理的手段または電気的手段または化学的手段または機械的手段または熱的手段の中から単独でまたは組合せて用いればよい。また、前記プラスチック系素材に関しては、例えば、表面に粗面を形成させることで前記被膜部との係着性を向上させる手段があるが、表面に粗面を形成させるように設計した金型を用いて、プレス成形させたり、射出成形させたり、ブロウ成形させたり、すればよい。【００２７】  課題を解決するための第五の手段で記述した前記芯部の表面に処理を施すことに関しては、例えば、前記木質系素材の表面と前記被膜部との間に粘着剤または粘着材または接着剤または接着材を設けることで前記被膜部との密着性を向上させる手段を選択しても構わない。また、例えば、前記金属系素材の表面と前記被膜部との間に粘着剤または粘着材または接着剤または接着材を設けることで前記被膜部との密着性を向上させる手段を選択しても構わない。また、例えば、前記プラスチック系素材の表面と前記被膜部との間に粘着剤または粘着材または接着剤または接着材を設けることで前記被膜部との密着性を向上させる手段を選択しても構わない。
【発明の効果】
【００３０】  上記のように構成された口腔内保護手段を備えた舌圧排子を、例えば歯の治療や診察に使用すると、前記軟質素材が患者の舌を上からソフトに押さえるので治療や診察がしやすく患者の舌や口腔内の粘膜を傷つけることがないと同時に、治療中や診察中に誤って治療対象者または診察対象者の歯や歯列や歯茎に接触しても、治療者や診察者に不快感や不安感を与えることはない。【００３１】  本発明によって、前記芯部が硬質素材で前記被膜部が軟質素材で形成されることで、本体の強度を保持しながら、前記被膜部の軟質素材によって口腔内の複雑な曲線や歯並びにも対応できるので、治療対象者や診察対象者に不快感や不安感を与えることが無く、その結果、医師や診察者は安心して口腔内で治療行為や診察行為をスムーズに実施することができる。【００３２】  本発明によって、前記芯部を金属製の薄板で前記被膜部を前記軟質素材で形成されることで、本体の強度を十分に保持しながら、舌圧部や把持部を力学的に曲折させることが可能になるので、口腔内の複雑な曲線や歯並びにも柔軟に合わせることができ、治療対象者や診察対象者に不快感や不安感を与えることが無く、その結果、医師や診察者は安心して口腔内で治療行為や診察行為をスムーズに実施することができる。【００３３】  本発明を用いることで、歯の治療対象者や診察対象者が、幼児や障害者や高齢者である場合に、例えばこれらの人たちが、故意に、無意識に、誤って、前記舌圧部に歯を接触させたり、前記舌圧部を歯で噛んだりした場合でも、歯や口腔内に損傷を与えたりすることがない口腔内保護手段を備えた舌圧排子を提供できる。また。その結果、医師や診察者は安心して、幼児や障害者や高齢者の口腔内で治療行為や診察行為をスムーズに実施することができる。【００３４】  上述した各発明の効果に加えて、例えば、前記軟質素材に耐熱性樹脂または耐熱性ゴムおよび耐酸性樹脂または耐酸性ゴムおよび耐アルカリ性樹脂または耐アルカリ性ゴムを採用することで、繰り返しの滅菌手段や殺菌手段や抗菌手段に耐える口腔内保護手段を備えた舌圧排子を提供できる。【００３５】  上述した各発明の効果に加えて、例えば、前記軟質素材に熱収縮性のシリコン樹脂またはシリコンゴムを採用することで、例えば、前記木質系素材の表面と前記被膜部との密着性を向上させ、また、例えば、前記金属系素材の表面と前記被膜部との密着性を向上させ、また、例えば、前記プラスチック系素材の表面と前記被膜部との密着性を向上させることが可能な口腔内保護手段を備えた舌圧排子を提供することができる。【００３６】  上述した各発明の効果に加えて、例えば、前記芯部の所望する部位に、貫通孔、非貫通孔、孔状、切り欠き、溝状、窪みまたは凹状、突起または凸状、を少なくとも一つ形成させる手段を設けることで、一般的には前記金属系素材と前記軟質素材とは前記係着性が比較的よくないとされていた問題を解決できるので、製品の耐久性が向上し、結果的に経済的に優れた、口腔内保護手段を備えた舌圧排子を提供できる。【００３７】  本発明によって、前記舌圧部が前記把持部に対して左右どちらかに約１度〜２０度曲折するように形成させたことで、本体の強度を保持しながら、前記口腔内の複雑な��線や歯並びにも対応できるので、治療対象者や診察対象者に不快感や不安感を与えることが無く、さらに、医師や診察者には使用感を向上させ口腔内で治療行為や診察行為をスムーズに実施することができる、口腔内保護手段を備えた舌圧排子を提供できる。
【発明を実施するための最良の形態】
【００４０】  以下、本発明の口腔内保護手段を備えた舌圧排子の実施の形態について、図１〜図８に基づいて説明する。
図１は本発明の実施の形態例を示す正面図であり、図２は本発明の実施の形態例を示す側面図であり、図３は本発明の実施の形態例を示す正面図であり、図４は本発明の実施の形態例を示す側面図であり、図５は本発明の実施の形態例を示す正面図であり、図６は本発明の実施の形態例を示す側面図であり、図７は本発明の実施の形態例を示す正面図であり、図８は本発明の実施の形態例を示す側面図である。
【実施例１】
【００４１】  図１と図２より、１０は医師や診察者が口腔内で治療行為や診察行為またはそれに準ずる行為を実施する場合に用いられる舌圧排子であり、舌圧排子１０は舌部や頬部を押さえる舌圧部１０ａと把持部１０ｂで形成されている。舌圧部１０ａは芯部１１と芯部１１を被膜手段によって形成した被膜部１５より形成されている。芯部１１は硬質素材より選択されたチタン製板体を図示したように細長板体に形成し先端部が１２であり後端部が１３という構造であり、芯部先端部１２と芯部後端部１３の概略中間部位をこの両端部より細くなるように成形され、芯部１１の表面部の少なくとも一部は表面処理が施されてある。被膜部１５は軟質素材より選択されたシリコンゴム製の一端が閉じられ他端が開放されたチューブであり、シリコンゴム製でチューブ状の被膜部１５の先端部は１６であり閉じるように成形され、被膜部１５の後端部は１７であり開放するように成形され、芯部１１の概略中間部位まで嵌入できる寸法に形成されている。把持部１０ｂは図で示されたように先端部が１４であり後端部が１８という構造であり、標準的な成人が片手で把持できる寸法で一般的な熱可塑性プラスチックで成型され、芯部後端部１３と被膜部後端部１７を保持し固定するように形成される。【００４２】  次に、チタン製板体から形成された細長板体の芯部１１は芯部先端部１２から芯部後端部１３までの長さは略１００ｍｍから略２００ｍｍ程度の範囲が好ましく、芯部先端部１２の幅は略５ｍｍから略２０ｍｍ程度の範囲が好ましく、芯部後端部１３の幅は略５ｍｍから略２０ｍｍ程度の範囲に形成するのが好ましい。シリコンゴム製でチューブ状の被膜部１５は芯部１１に嵌入できる寸法に形成されているので、芯部先端部１２から挿入し芯部１１の略中間部位まで被膜部後端部１７を嵌入した後に予め成形されてあった把持部１０ｂによって芯部後端部１３と被膜部後端部１７を固定することで芯部１１は把持部１０ｂによって保持され、芯部先端部１２と被膜部先端部１６は舌圧部１０ａとして機能する。【００４３】  実施例１の舌圧排子を、医師や診察者が治療行為を必要とする治療対象者や診察行為を必要とする診察対象者の口腔内に挿入し、舌圧部１０ａを舌に押し当てることで被膜部先端部１６はソフトに舌に接触し芯部先端部１２が舌の形状に合わせて変形することで治療対象者や診察対象者に不快感を与えないので、医師や診察者は治療行為や診察行為に専念することができる。
【実施例２】
【００４４】  図３と図４より、２０は医師や診察者が口腔内で治療行為や診察行為またはそれに準ずる行為を実施する場合に用いられる舌圧排子であり、舌圧排子２０は舌部や頬部を押さえる舌圧部２０ａと把持部２０ｂで形成されている。舌圧部２０ａは芯部２１と芯部２１を被膜手段によって形成した被膜部２５より形成されている。芯部２１は硬質素材より選択されたチタン製板体を図示したように細長板体に形成し先端部が２２であり後端部が２３という構造であり、芯部先端部２２と芯部後端部２３の概略中間部位をこの両端部より細くなるように成形され、芯部２１の所望する部位に、貫通孔、非貫通孔、孔状、切り欠き、溝状、窪みまたは凹状、突起または凸状、の中から選択した貫通孔を図に示したように二箇所設け、一つは芯部先端部２２の近位置に設けた貫通孔を２２ａとし、貫通孔２２ａよりは芯部後端部２３に近い位置に設けた貫通孔を２２ｂとする。被膜部２５は軟質素材より選択された熱収縮性シリコン樹脂製の一端が閉じられ他端が開放されたチューブであり、熱収縮性シリコン樹脂製でチューブ状の被膜部２５の先端部は２６であり閉じるように成形され、被膜部２５の後端部は２７であり開放するように成形され、芯部２１の概略中間部位まで嵌入できる寸法に形成されている。把持部２０ｂは図で示されたように先端部が２４であり後端部が２８という構造であり、標準的な成人が片手で把持できる寸法で一般的な耐熱性プラスチックで成型され、芯部後端部２３と被膜部後端部２７を保持し固定するように形成されているものとする。【００４５】  次に、チタン製板体から形成された細長板体の芯部２１は芯部先端部２２から芯部後端部２３までの長さは略１００ｍｍから略２００ｍｍ程度の範囲が好ましく、芯部先端部２２の幅は略１０ｍｍから略２５ｍｍ程度の範囲が好ましく、芯部後端部２３の幅は略５ｍｍから略２０ｍｍ程度の範囲に形成するのが好ましい。また、芯部２１の成形時に芯部先端部２２の近位置に貫通孔２２ａが貫通孔２２ａよりは芯部後端部２３に近い位置に貫通孔２２ｂが設けられるように金型を設計する。また熱収縮性シリコン樹脂製でチューブ状の被膜部２５は芯部２１に圧入できる寸法に形成されているので、芯部先端部２２から挿入し芯部２１の略中間部位まで被膜部後端部２７を嵌入した後に、加熱手段によって少なくとも１００℃以上の熱風に接触させることで被膜部２５は収縮して芯部２１に密着するが、この時貫通孔２２ａと貫通孔２２ｂの作用によって密着性は向上する。次に予め成形されてあった把持部２０ｂによって芯部後端部２３と被膜部後端部２７を固定することで芯部２１は把持部２０ｂによって保持され、芯部先端部２２と被膜部先端部２６は舌圧部２０ａとして機能する。【００４６】  実施例２の舌圧排子を、医師や診察者が治療行為を必要とする治療対象者や診察行為を必要とする診察対象者の口腔内に挿入し、舌圧部２０ａを舌に押し当てることで被膜部先端部２６はソフトに舌に接触し芯部先端部２２が舌の形状に合わせて変形することで治療対象者や診察対象者に不快感を与えないので、医師や診察者は治療行為や診察行為に専念することができる。また、貫通孔２２ａと貫通孔２２ｂの作用によって密着性は向上し本品の耐久性が向上し、経済的に有利な口腔内保護手段を備えた舌圧排子を提供できる。
【実施例３】
【００４７】  図５と図６より、３０は医師や診察者が口腔内で治療行為や診察行為またはそれに準ずる行為を実施する場合に用いられる舌圧排子であり、舌圧排子３０は舌部や頬部を押さえる舌圧部３０ａと把持部３０ｂで形成されている。舌圧部３０ａは芯部３１と芯部３１を被膜手段によって形成した被膜部３５より形成されている。芯部３１は硬質素材より選択されたチタン製板体を図示したように細長板体に形成し先端部が３２であり後端部が３３という構造であり、芯部先端部３２と芯部後端部３３の概略中間部位をこの両端部より細くなるように成形され、Ａ１は芯部先端部３２を上に芯部後端部３３が下になり垂直状態になるよう芯部３１を正面から見た場合に芯部後端部３３に対して芯部先端部３２を右側に略１０度曲折するように形成させた角度を示している。被膜部３５は軟質素材より選択されたシリコンゴム製の一端が閉じられ他端が開放されたチューブであり、シリコンゴム製でチューブ状の被膜部３５の先端部は３６であり閉じるように成形され、被膜部３５の後端部は３７であり開放するように成形され、芯部３１の概略中間部位まで嵌入できる寸法に形成されている。把持部３０ｂは図で示されたように先端部が３４であり後端部が３８という構造であり、標準的な成人が片手で把持できる寸法で一般的な耐熱性プラスチックで成型され、芯部後端部３３と被膜部後端部３７を保持し固定するように形成されているものとする。【００４８】  次に、チタン製板体から形成された細長板体の芯部３１は芯部先端部３２から芯部後端部１３までの長さは略１００ｍｍから略２００ｍｍ程度の範囲が好ましく、芯部先端部３２の幅は略１０ｍｍから略２０ｍｍ程度の範囲が好ましく、芯部後端部３３の幅は略５ｍｍから略２０ｍｍ程度の範囲に形成するのが好ましい。シリコンゴム製でチューブ状の被膜部３５は芯部３１に嵌入できる寸法に形成されているので、芯部先端部３２から挿入し芯部３１の略中間部位まで被膜部後端部３７を嵌入するが、このときに芯部３１の少なくとも一部に接着剤が塗布されていることが好ましい。次に、予め成形されてあった把持部３０ｂによって芯部後端部３３と被膜部後端部３７を固定することで芯部３１は把持部３０ｂによって保持され、芯部先端部３２と被膜部先端部３６は舌圧部３０ａとして機能する。【００４９】  実施例３の舌圧排子を、医師や診察者が治療行為を必要とする治療対象者や診察行為を必要とする診察対象者の口腔内に挿入し、舌圧部３０ａを舌に押し当てることで被膜部先端部３６はソフトに舌に接触し芯部先端部３２が舌の形状に合わせて変形することで治療対象者や診察対象者に不快感を与えないので、医師や診察者は治療行為や診察行為に専念することができる。また、舌圧部３０ａは角度Ａ１によって前記口腔内でのフィット感と医師や診察者による使用感を向上させることが可能になるので、本発明の採用者は商品価値が向上した口腔内保護手段を備えた舌圧排子を提供できる。
【実施例４】
【００５０】  図７と図８より、４０は医師や診察者が口腔内で治療行為や診察行為またはそれに準ずる行為を実施する場合に用いられる舌圧排子であり、舌圧排子４０は舌部や頬部を押さえる舌圧部４０ａと把持部４０ｂで形成されている。舌圧部４０ａは芯部４１と芯部４１を被膜手段によって形成した被膜部４５より形成されている。芯部４１は硬質素材より選択されたチタン製板体を図示したように細長板体に形成し先端部が４２であり後端部が４３という構造であり、芯部先端部４２と芯部後端部４３の概略中間部位をこの両端部より細くなるように成形され、Ａ２は芯部先端部４２を上に芯部後端部４３が下になり垂直状態になるよう芯部４１を正面から見た場合に芯部後端部４３に対して芯部先端部４２を右側に略１０度曲折するように形成させた角度を示している。また、芯部４１の所望する部位に、貫通孔、非貫通孔、孔状、切り欠き、溝状、窪みまたは凹状、突起または凸状、の中から選択した貫通孔を図に示したように二箇所設け、例えば一つは芯部先端部４２の近位置に設けた貫通孔を４２ａとし、例えば貫通孔４２ａよりは芯部後端部４３に近い位置に設けた貫通孔を４２ｂとする。被膜部４５は軟質素材より選択された熱収縮性シリコン樹脂製の一端が閉じられ他端が開放されたチューブであり、熱収縮性シリコン樹脂製でチューブ状の被膜部４５の先端部は４６であり閉じるように成形され、被膜部４５の後端部は４７であり開放するように成形され、芯部４１の概略中間部位まで嵌入できる寸法に形成されている。把持部４０ｂは図で示されたように先端部が４４であり後端部が４８という構造であり、標準的な成人が片手で把持できる寸法で一般的な耐熱性プラスチックで成型され、芯部後端部４３と被膜部後端部４７を保持し固定するように形成されているものとする。【００５１】  次に、チタン製板体から形成された細長板体の芯部４１は芯部先端部４２から芯部後端部４３までの長さは略１００ｍｍから略２００ｍｍ程度の範囲が好ましく、芯部先端部４２の幅は略１０ｍｍから略２５ｍｍ程度の範囲が好ましく、芯部後端部４３の幅は略５ｍｍから略２０ｍｍ程度の範囲に形成するのが好ましい。また、芯部４１の成形時に芯部先端部４２の近位置に貫通孔４２ａが貫通孔４２ａよりは芯部後端部４３に近い位置に貫通孔４２ｂが設けられるように、また芯部先端部４２に角度Ａ２を形成させるように金型を設計する。また熱収縮性シリコン樹脂製でチューブ状の被膜部４５は芯部４１に嵌入できる寸法に形成されているので、芯部先端部４２から挿入し芯部４１の略中間部位まで被膜部後端部４７を嵌入した後に、加熱手段によって少なくとも１００℃以上の熱風に接触させることで被膜部４５は収縮して芯部４１に密着するが、この時貫通孔４２ａと貫通孔４２ｂの作用によって密着性は向上する。次に予め成形されてあった把持部４０ｂによって芯部後端部４３と被膜部後端部４７を固定することで芯部４１は把持部４０ｂによって保持され、芯部先端部４２と被膜部先端部４６は舌圧部４０ａとして機能する。【００５２】  実施例４の舌圧排子を、医師や診察者が治療行為を必要とする治療対象者や診察行為を必要とする診察対象者の口腔内に挿入し、舌圧部４０ａを舌に押し当てることで被膜部先端部４６はソフトに舌に接触し芯部先端部４２が舌の形状に合わせて変形することで治療対象者や診察対象者に不快感を与えないので、医師や診察者は治療行為や診察行為に専念することができる。また、舌圧部４０ａは角度Ａ２によって前記口腔内でのフィット感と医師や診察者による使用感を向上させることが可能になるので、本発明の採用者は商品価値が向上した口腔内保護手段を備えた舌圧排子を利用できる。【００５９】  上記実施の形態の説明は、本発明を説明するためのものであって、特許請求の範囲に記載の発明を限定し、或は範囲を減縮するものではない。又、本発明の各部構成は上記実施の形態に限らず、特許請求の範囲に記載の技術的範囲内で種々の変形が可能である。
また、本明細書の中で上記において引用されたすべての参考文献は完全にそのまま参照部に取り込まれる。
【産業上の利用可能性】
【００６０】  本発明の口腔内保護手段を備えた舌圧排子は歯科以外でも、口腔内科、小児科、耳鼻咽喉科、などにおいて、小児や乳幼児や高齢者や障害者の口腔内を治療したり診察したりする際にも適用できるので、産業上の利用価値が高い。
また、本発明の口腔内保護手段を備えた舌圧排子は歯科、口腔内科、小児科、耳鼻咽喉科、以外でも、動物の口腔内を治療したり診察したりする際にも適用できるので、産業上の利用価値が高い。
【図面の簡単な説明】
【００６１】
【図１】本発明の実施の形態例を示す正面図である。
【図２】本発明の実施の形態例を示す側面図である。
【図３】本発明の実施の形態例を示す正面図である。
【図４】本発明の実施の形態例を示す側面図である。
【図５】本発明の実施の形態例を示す正面図である。
【図６】本発明の実施の形態例を示す側面図である。
【図７】本発明の実施の形態例を示す正面図である。
【図８】本発明の実施の形態例を示す側面図である。
【符号の説明】
【００６２】１０，２０，３０，４０    舌圧排子
１０ａ，２０ａ，３０ａ，４０ａ  舌圧部
１０ｂ，２０ｂ，３０ｂ，４０ｂ  把持部
１１，２１，３１，４１    芯部
１２，２２，３２，４２    芯部先端部
１３，２３，３３，４３    芯部後端部
１４，２４，３４，４４    把持部先端部
１５，２５，３５，４５    被膜部
１６，２６，３６，４６    被膜部先端部
１７，２７，３７，４７    被膜部後端部
１８，２８，３８，４８    把持部後端部
２２ａ，２２ｂ    貫通孔
４２ａ，４２ｂ    貫通孔
Ａ１，Ａ２    角度
【図１】
2009022702.tif 000003
【図２】
2009022702.tif 000004
【図３】
2009022702.tif 000005
【図４】
2009022702.tif 000006
【図５】
2009022702.tif 000007
【図６】
2009022702.tif 000008
【図７】
2009022702.tif 000009
【図８】
2009022702.tif 000010